(57)【要約】【課題】河川やカヌー等に設置することで、燃料や電池等が不要で、騒音や排気ガスに関する配慮も不要な移動式の発電装置を提供する。【解決手段】移動可能で、水面に浮上して周囲に流れる水を案内する浮上・導水部材２、３と、浮上・導水部材に回転可能に保持された回転軸７と、回転軸と共に回転可能で、浮上・導水部材によって案内された水の流れによって回転する水車８と、回転軸の回転によって生ずる機械エネルギーを電気エネルギーに変換する発電機９とを備える移動式水力発電装置１。移動可能な浮上・導水部材を水面に浮上させて周囲に流れる水を案内し、案内された水の流れによって水車を回転させ、さらに回転軸を回転させて発電機で電力を得ることができる。【選択図】図１
2012251524.tif 000002
【特許請求の範囲】
【請求項１】
移動可能で、水面に浮上して周囲に流れる水を案内する浮上・導水部材と、
該浮上・導水部材に回転可能に保持された回転軸と、
該回転軸と共に回転可能で、前記浮上・導水部材によって案内された水の流れによって回転する水車と、
前記回転軸の回転によって生ずる機械エネルギーを電気エネルギーに変換する発電機とを備えることを特徴とする移動式水力発電装置。
【請求項２】
前記浮上・導水部材は、相対向する一対の円筒状部材であって、該一対の円筒状部材の各々は、中央部で曲折し、該中央部から一方の端部に向かって該一対の円筒状部材の間隔が徐々に大きくなるように構成され、前記中央部から他方の端部に向かって該一対の円筒状部材の間隔が等しく構成され、該一対の円筒状部材の間を、該一対の円筒状部材の一方の端部側から、他方の端部側へ水が案内されることを特徴とする請求項１に記載の移動式水力発電装置。
【請求項３】
前記一対の円筒状部材の各々の前記一方の端部に、該浮上・導水部材を水上に固定する固定用索の一端が装着されることを特徴とする請求項２に記載の移動式水力発電装置。
【発明の詳細な説明】
【技術分野】
【０００１】
本発明は、河川等に設置して発電する移動式水力発電装置に関する。
【背景技術】
【０００２】
従来、河川等の付近でキャンプや、軽作業等を行う際の照明として、ガソリン式、ガス式又はバッテリー式のランタンやＬＥＤランプ、可搬式の発電装置を用いた照明装置等が用いられる。
【発明の概要】
【発明が解決しようとする課題】
【０００３】
しかし、上記ランタン、ＬＥＤランプ、可搬式の発電装置を用いた照明装置等は、燃料や電池が必要になると共に、可搬式の発電装置を用いた照明装置等では、さらに騒音や排気ガスに関する配慮も必要になる。
【０００４】
そこで、本発明は、上記問題点に鑑みてなされたものであって、河川等に設置することで、燃料や電池等が不要で、騒音や排気ガスに関する配慮も不要な移動式の発電装置を提供することを目的とする。
【課題を解決するための手段】
【０００５】
上記目的を達成するため、本発明は、移動式水力発電装置であって、移動可能で、水面に浮上して周囲に流れる水を案内する浮上・導水部材と、該浮上・導水部材に回転可能に保持された回転軸と、該回転軸と共に回転可能で、前記浮上・導水部材によって案内された水の流れによって回転する水車と、前記回転軸の回転によって生ずる機械エネルギーを電気エネルギーに変換する発電機とを備えることを特徴とする。
【０００６】
そして、本発明によれば、移動可能な浮上・導水部材を水面に浮上させて周囲に流れる水を案内し、案内された水の流れによって水車を回転させ、さらに回転軸を回転させて発電機で電力を得ることができるため、河川に設置したり、河川を航行するカヌー等に取り付けてカヌー等の進む力を利用することで、燃料や電池等が不要で、騒音や排気ガスに関する配慮も不要な移動式の発電装置を提供することができる。
【０００７】
上記移動式水力発電装置において、前記浮上・導水部材は、相対向する一対の円筒状部材であって、該一対の円筒状部材の各々は、中央部で曲折し、該中央部から一方の端部に向かって該一対の円筒状部材の間隔が徐々に大きくなるように構成され、前記中央部から他方の端部に向かって該一対の円筒状部材の間隔が等しく構成され、該一対の円筒状部材の間を、該一対の円筒状部材の一方の端部側から、他方の端部側へ水が案内されるように構成することができる。これによって、簡単な構成で、効率よく水を案内して発電効率を高めることができる。
【０００８】
上記移動式水力発電装置において、前記一対の円筒状部材の各々の前記一方の端部に、該浮上・導水部材を水上に固定する固定用索の一端を装着することができ、固定用索によって、移動式水力発電装置全体を容易に水面に固定することができる。
【発明の効果】
【０００９】
以上のように、本発明によれば、河川等に設置することで、燃料や電池等が不要で、騒音や排気ガスに関する配慮も不要な移動式の発電装置を提供することができる。
【図面の簡単な説明】
【００１０】
【図１】本発明にかかる移動式水力発電装置の一実施の形態を示す図であって、（ａ）は平面図、（ｂ）は側面図である。
【図２】図１に示す移動式水力発電装置の使用方法を説明するための斜視図である。
【発明を実施するための形態】
【００１１】
次に、本発明を実施するための形態について図面を参照しながら説明する。
【００１２】
図１は、本発明にかかる移動式水力発電装置の一実施の形態を示し、この移動式水力発電装置１は、移動可能で、水面に浮上して周囲に流れる水を案内する浮上・導水部材としての一対の円筒状部材２、３と、円筒状部材２、３を繋ぐように設置されたフレーム４と、フレーム４の内側に配設され、回転軸７を回転可能に保持する一対の保持部材５、６と、回転軸７と共に回転可能で、円筒状部材２、３によって案内された水の流れによって回転する水車８と、回転軸７の回転によって生ずる機械エネルギーを電気エネルギーに変換する発電機９等を備える。
【００１３】
円筒状部材２、３は、各々プラスチック等で管状に形成され、両端が閉じられ、水面に浮上可能に設けられる。これら円筒状部材２、３は、中央部で曲折し、中央部から右側の案内部２ａ、３ａでは、右方に向かうにつれて両者２ａ、３ａの間隔が徐々に大きくなるように構成され、中央部から左側の保持部２ｂ、３ｂでは、両者２ｂ、３ｂの間隔が等しく構成される。
【００１４】
フレーム４は、Ｌ型鋼等からなり、円筒状部材２、３を跨いでこれらを繋ぐように設置され、枠部４ａと、円筒状部材２、３の保持部２ｂ、３ｂに沿って下方に延設された脚部４ｂとで構成される。フレーム４の内側には、一対のＬ型鋼等からなる保持部材５、６が設けられる。
【００１５】
回転軸７は、保持部材５、６に軸受（不図示）を介して回転可能に保持され、回転軸７の回転によって、回転軸７を囲繞するように設置された発電機９が電力を発生させる。
【００１６】
水車８は、回転軸７と共に回転可能であって、円環部材８ａに１２枚の板状の羽根８ｂが固定される。円環部材８ａは、内側に装着されたスポーク状の補強部材８ｃによって補強される。
【００１７】
電灯１１は、発電機９と電線１０を介して電気的に接続され、発電機９で発生した電力によって点灯する。
【００１８】
固定用索１２、１３は、円筒状部材２、３を水上に固定するために備えられ、円筒状部材２、３の右端部に固定用索１２、１３の一端が固定され、他端が陸側の岩等に固定される。
【００１９】
次に、上記構成を有する移動式水力発電装置１の使用方法について、図２を中心に参照しながら説明する。
【００２０】
河川等の付近でキャンプや、軽作業等を行う際に、移動式水力発電装置１を車両の荷台等に積載して現場まで搬送し、移動式水力発電装置１全体を河川の流れの中に置く。この際、円筒状部材２、３の案内部２ａ、３ａ側を上流２０側に向け、中央部に水車８が位置するフレーム４を、岩２１、２２に挟まれた場所のように、河川の流れの狭い場所に配置することが、河川の水の流れを有効に利用することができて好ましい。
【００２１】
移動式水力発電装置１を好ましい場所に位置決めし終えたら、固定用索１２、１３を現場付近の岩や、樹木等に固定し、移動式水力発電装置１の移動を防止する。これで、移動式水力発電装置１の使用準備が完了し、図２に示す状態となる。
【００２２】
図２に示す状態で、上流２０側から下流２３側へ水が流れると、水は、図１（ａ）に示すように、円筒状部材２、３の案内部２ａ、３ａの間を、矢印で示すように、下流側に向かうにつれて中央部に集まるように流れ、この流れによって、図１（ｂ）に示す矢印方向に水車８が回転し、これに伴い回転軸７が回転し、発電機９によって発電がなされる。発電機９で発生した電力は、電線１０を介して電灯１１に供給され、電灯１１が点灯する。上流２０側から下流２３側へ水が流れ、水車８の回転が継続すると、電灯１１が点灯し続ける。
【００２３】
尚、上記実施の形態においては、浮上・導水部材として一対の円筒状部材２、３を用いたが、移動式水力発電装置１全体を水面に浮上させ、水車８へ河川等の水の流れを案内することができれば、他の構成を採用することもできる。
【００２４】
また、回転軸７、水車８及び発電機９の円筒状部材２、３による保持構造についても、フレーム４や保持部材５、６によらず、その他の保持構造であってもよく、円筒状部材２、３によって、水車８を河川等の水の流れによって回転させながら保持することができる構造であればよい。
【００２５】
さらに、発電機９を回転軸７を囲繞するように設置したが、回転軸７の回転を利用するものであれば、その他の構造を備えた発電機であってもよい。
【００２６】
また、水車８の全体構造、羽根８ｂの枚数も上記実施の形態に記載のものに限定されず、河川等の水の流れによって回転し、水の流れのエネルギーを回転軸７に効率よく伝達できるものであれば他の構成を採用することもできる。
【００２７】
さらにまた、電灯１１を発電機９に隣接して設置したが、電灯１１を移動可能とし、陸側で照明用に用いることも可能である。
【００２８】
さらに、上記実施の形態においては、移動式水力発電装置１を固定用索１２、１３を用いて河川の水上に固定したが、移動式水力発電装置１を固定せずに、例えば、河川を航行するカヌー等に取り付け、カヌー等の進む力によって生ずる水の流れによって回転軸７を回転させ、発電機９によって発電を行うこともできる。
【符号の説明】
【００２９】
１  移動式水力発電装置
２  円筒状部材
２ａ  案内部
２ｂ  保持部
３  円筒状部材
３ａ  案内部
３ｂ  保持部
４  フレーム
４ａ  枠部
４ｂ  脚部
５、６  保持部材
７  回転軸
８  水車
８ａ  円環部材
８ｂ  羽根
８ｃ  補強部材
９  発電機
１０  電線
１１  電灯
１２、１３  固定用索
【図１】
2012251524.tif 000003
【図２】
2012251524.tif 000004